(57)【要約】      （修正有）【課題】板状体の側部両側において、水との還元反応を十分行い得るような還元水生成用触媒の単位による構成を提供する。【解決手段】水の電位を低下させるという還元機能を有している板状体１による還元水生成触媒に対し、曲げ弾性を有する帯状面２によって前記板状体１の側部両側を挟持２１し、かつ当該帯状面２は、挟持した部位２１から先端方向に向かって、当該板状体１から離脱して広がった形状をしており、前記先端方向の反対側の部位において、板状体１を囲んだ状態にあることに基づき、課題を達成し得る還元水生成用触媒単位。【選択図】図１
0003151576.tif 000002
【実用新案登録請求の範囲】
【請求項１】
水の電位を低下させるという還元機能を有している板状体による還元水生成触媒に対し、曲げ弾性を有する帯状面によって前記板状体の側部両側を挟持し、かつ当該帯状面は、挟持した部位から先端方向に向かって、当該板状体から離脱して広がった形状をしており、前記先端方向の反対側の部位において、板状体を囲んだ状態にあることに基づく還元水生成用触媒単位。
【請求項２】
帯状面のうち、板状体を囲んだ状態にある部分が先端と反対側の部位から板状体を挟持している部位に向けて順次狭幅となり、かつ前記反対側の部位における最先端の最も広がっている部分が両側から平面状態を呈するような形状を呈していることを特徴とする請求項１記載の還元水生成用触媒単位。
【請求項３】
帯状面のうち、挟持している部位から先端にかけての領域が先端に近づく程板状態からの離脱の程度が大きくなることによる湾曲状態を呈していることを特徴とする請求項１，２の何れか１項に記載の還元水生成用触媒単位。
【請求項４】
板状体の両側に位置している帯状態の一部領域及び全領域に水が透過し得る孔を設けたことを特徴とする請求項１，２，３の何れか１項に記載の還元水生成用触媒単位。
【請求項５】
請求項１，２，３，４の何れか１項に記載の還元水生成用触媒単位を底部に単数又は複数個配置していることに基づく還元水生成容器。
【考案の詳細な説明】
【技術分野】
【０００１】
本考案は、水の電位を低下させつつ、還元水を生成し得る触媒の構成単位に関するものである。
【背景技術】
【０００２】
前記のように還元水を生成するために、水との間に還元反応を可能とする金属を素材とする板状体による還元水生成用触媒は既に公然と知られている。
【０００３】
因みに、特許文献１及び同２は、水との間にて還元反応を可能とする素材について、様々な形状を採用する構成を提唱しているが、前記形状のうちには、板状体が当然含まれている。
【０００４】
しかしながら、還元水生成触媒が単なる板状体を単位としている構成においては、板状体を還元水生成容器中に配置した場合には、当該容器の底部と接触している一方の側面、更には板状体が交互に接触し合っている側面においては、十分な循環を伴っている水との接触が不可能であることから、結局前記各側面においては、十分な還元作用を発揮することができない。
【０００５】
然るに、従来技術においては、板状体を基本構成としている還元水生成触媒において、前記各側面における還元作用の不十分性を解決するような構成をこれまで提唱している訳ではない。
【０００６】
【特許文献１】特開２００８−３０８８８４号公報
【特許文献２】特開２００６−０４４９９８号公報
【考案の開示】
【考案が解決しようとする課題】
【０００７】
本考案は、板状体の両側面において、水との還元反応を十分行い得るような還元水生成用触媒の単位による構成を提供することを課題としている。
【課題を解決するための手段】
【０００８】
前記課題を解決するため、本考案の基本構成は水の電位を低下させるという還元機能を有している板状体による還元水生成触媒に対し、曲げ弾性を有する帯状面によって前記板状体の側部両側を挟持し、かつ当該帯状面は、挟持した部位から先端方向に向かって、当該板状体から離脱した広がった形状をしており、前記先端方向の反対側の部位において、板状体を囲んだ状態にあることからなる。
【考案の効果】
【０００９】
前記基本構成においては、板状体は、一方の面が底部に接した状態、又は相互に接触し合った状態を避けることが可能となり、両側の面において、十分な水の流通を伴った状態にて適切かつ、十分な還元作用を発揮することが可能となり、効率的な還元水の生成を実現することができる。
【考案を実施するための最良の形態】
【００１０】
図１（ａ）は、板状体１を帯状面２が挟持する前段階を示しており、図１（ｂ）は挟持した後の状況を示している。
【００１１】
図１（ａ）と（ｂ）との対比からも明らかなように、帯状面２が曲げ弾性を有していることから、板状体１を帯状面２のうち、相互に接触し合っている部位をこじあけて帯状面２に挿入することによって、帯状面２が板状体１の側部を挟持することになる。
【００１２】
図１（ａ）、（ｂ）に示すように、帯状面２は、板状体１の側部両側を挟持している部位２１から先端側に向かって、板状体１の両側面から離れるように、両側に広がった形状を呈している。
【００１３】
このような形状の採用によって、図２（ａ）の上面図及び図２（ｂ）の側面図に示すように、板状体１及び帯状面２の各端部を容器３の底部に接した状態にて配置することが可能となる。
更には図３に示すように、帯状面２の先端部の一方側、及び当該先端部に対し、前記挟持している部位２１を介して反対側に位置している端部を容器３の底部と当接させる状態を実現することが可能となる。
【００１４】
図２（ａ）（ｂ）及び図３に示す本考案による還元水生成用触媒単位は、何れの場合も、板状体１の側部両側面において水４との十分な接触状態となっている還元反応を実現することが可能となる。
【００１５】
尚、図２（ｂ）は、図２（ａ）の正面方向と直交する側方向の状態を示しているが、帯状面２と板状体１との側部側の幅は同一である必要はなく、帯状面２の方が広幅な場合、及び狭幅の場合の双方を採用することが可能であって、材料の節約及び還元水生成効率を考慮するならば、図２（ｂ）に示すように板状体１の側部よりも帯状面２の側部の方が狭い場合の方が好的に採用可能である。
【００１６】
図１（ａ）、（ｂ）及び図２（ａ）、（ｂ）、及び図３に示すように、本考案においては通常、帯状面２のうち、板状体１を囲んだ状態にある部分が先端と反対側の部位から板状体１を挟持している部位２１に向けて順次狭幅となり、かつ前記反対側の部位における最先端の最も広がっている部分が両側から平面状態を呈するような形状を呈していることを特徴とする実施形態を採用している。
【００１７】
このような実施形態の場合には、帯状面２において、板状体１の一部を囲んだ状態である帯状面２の上記平面部分が、板状体１を挟持している部位よりも広幅であることによって、図４に示すように容器３の底部に対し、板状体１の側部を容器３の底部と交差した方向とするような配置を実現することが可能となる。
【００１８】
図１（ａ）、（ｂ）の示すように、帯状面２のうち、挟持している部位２１から先端にかけての領域が先端に近づく程板状体１からの離脱の程度が大きくなることによる湾曲状態を呈していることを特徴とする実施形態の場合には、板状体１を前記湾曲によって十分な広幅となっている帯状面２の先端部から円滑に挿入することができる。
【００１９】
板状体１を形成する還元水生成用触媒の素材としては、通常マグネシウム（Ｍｇ）を成分とし、亜鉛（Ｚｎ）及び／又はマンガン（Ｍｎ）を添加したことによる合金が還元反応の効率性と、素材としての強度との両立のうえで、好的に採用されている。
【００２０】
他方、弾性部を以って板状体を挟持する帯状面２は素材を特に限定されるわけではないが、弾性強度及び腐食防止の双方を考慮し、ステンレスが好的に採用されている。
【００２１】
以上のような実施形態による還元水生成用触媒を、水４を収容し得る容器３中に単数及び複数個収容した場合には、同一の数及び量であって、しかも帯状面２による挟持を伴っていない板状体１のみによる還元水生成用触媒を底部に配置した場合に比し、効率的な還元水生成を実現することができる。
【００２２】
以下、実施例に即して説明する。
【実施例】
【００２３】
実施例においては、図５（ａ）（ｂ）に示すように、板状体１の両側に位置している帯状面２の一部領域及び全領域に水４が透過し得る孔２２を設けたことを特徴としている。
還元水生成用の容器３においては、ポンプ（図示せず）による循環、又は容器３内のスクリュー（図示せず）の回転による循環によって還元作用を促進させることが行われる場合があるが、板状体１に対する帯状面２による挟持によって、前記の循環に支障が生ずる場合がある。
【００２４】
このような場合、実施例のように帯状面２に複数個の孔２２を設けた場合には、水流が当該孔２２を通過して板状体１に接触することが可能となり、前記循環に基づく還元作用の促進を維持することができる。
【産業上の利用可能性】
【００２５】
本考案は、飲食店、事務所、家庭等において飲用する還元水の生成の全てにおいて利用することが可能である。
【図面の簡単な説明】
【００２６】
【図１】板状体を帯状面に挿入するに至る過程を示す断面図であって、（ａ）は挿入する前段階を示しており、（ｂ）は挿入した後の段階を示している。
【図２】還元水生成用触媒単位を、水を収容し得る容器の底部に配置した状態を示しており、（ａ）は上面図であり、（ｂ）は側面図である。
【図３】帯状面の先端方向の端部、及び板状体を囲んだ部分の端部を、水を収容する上記の底部に配置した状態を示す側面図である。
【図４】板状体を容器の底部と交差する方向の状態にて配置した場合の正面図である。
【図５】実施例の構成を示す側面図であり、（ａ）は帯状面の全領域に孔を設けた実施例を示しており、（ｂ）は挟持した部位から容器の底部と交差した状態にて配置した底部に至る迄の領域において孔を設置した実施例を示す。
【符号の説明】
【００２７】
１  板状体
２  帯状面
３  容器
４  水
２１  帯状面のうち、板状体を挟持している部位
２２  帯状面に設けた孔
【図１】
0003151576.tif 000003
【図２】
0003151576.tif 000004
【図３】
0003151576.tif 000005
【図４】
0003151576.tif 000006
【図５】
0003151576.tif 000007
【手続補正書】
【提出日】平成21年2月4日(2009.2.4)
【手続補正１】
【補正対象書類名】実用新案登録請求の範囲
【補正対象項目名】全文
【補正方法】変更
【補正の内容】
【実用新案登録請求の範囲】
【請求項１】
水の電位を低下させるという還元機能を有している板状体による還元水生成触媒に対し、曲げ弾性を有する帯状面によって前記板状体の側部両側を挟持し、かつ当該帯状面は、挟持した部位から先端方向に向かって、当該板状体から離脱して広がった形状をしており、前記先端方向の反対側の部位において、板状体を囲んだ状態にあることによって形成される板状体と帯状面からなる還元水生成用触媒の構成。
【請求項２】
帯状面のうち、板状体を囲んだ状態にある部分が先端と反対側の部位から板状体を挟持している部位に向けて順次狭幅となり、かつ前記反対側の部位における最先端の最も広がっている部分が両側から平面状態を呈するような形状を呈していることを特徴とする請求項１記載の還元水生成用触媒の構成。
【請求項３】
帯状面のうち、挟持している部位から先端にかけての領域が先端に近づく程板状態からの離脱の程度が大きくなることによる湾曲状態を呈していることを特徴とする請求項１，２の何れか１項に記載の還元水生成用触媒の構成。
【請求項４】
板状体の両側に位置している帯状態の一部領域及び全領域に水が透過し得る孔を設けたことを特徴とする請求項１，２，３の何れか１項に記載の還元水生成用触媒の構成。
【請求項５】
請求項１，２，３，４の何れか１項に記載の還元水生成用触媒単位を底部に単数又は複数個配置していることに基づく還元水生成容器。
【手続補正２】
【補正対象書類名】明細書
【補正対象項目名】０００７
【補正方法】変更
【補正の内容】
【０００７】
本考案は、板状体の両側面において、水との還元反応を十分行い得るような還元水生成用触媒の構成を提供することを課題としている。
【手続補正３】
【補正対象書類名】明細書
【補正対象項目名】０００８
【補正方法】変更
【補正の内容】
【０００８】
前記課題を解決するため、本考案の基本構成は水の電位を低下させるという還元機能を有している板状体による還元水生成触媒に対し、曲げ弾性を有する帯状面によって前記板状体の側部両側を挟持し、かつ当該帯状面は、挟持した部位から先端方向に向かって、当該板状体から離脱した広がった形状をしており、前記先端方向の反対側の部位において、板状体を囲んだ状態にあることによって形成される板状体と帯状面からなる還元水生成用触媒の構成からなる。
【手続補正４】
【補正対象書類名】明細書
【補正対象項目名】００１４
【補正方法】変更
【補正の内容】
【００１４】
図２（ａ）（ｂ）及び図３に示す本考案による還元水生成用触媒の構成は、何れの場合も、板状体１の側部両側面において水４との十分な接触状態となっている還元反応を実現することが可能となる。
【手続補正５】
【補正対象書類名】明細書
【補正対象項目名】００２１
【補正方法】変更
【補正の内容】
【００２１】
以上のような実施形態の構成による還元水生成用触媒を、水４を収容し得る容器３中に単数及び複数個収容した場合には、同一の数及び量であって、しかも帯状面２による挟持を伴っていない板状体１のみによる還元水生成用触媒を底部に配置した場合に比し、効率的な還元水生成を実現することができる。
【手続補正書】
【提出日】平成21年4月21日(2009.4.21)
【手続補正１】
【補正対象書類名】実用新案登録請求の範囲
【補正対象項目名】請求項５
【補正方法】変更
【補正の内容】
【請求項５】
請求項１，２，３，４の何れか１項に記載の還元水生成用触媒の構成を底部に単数又は複数個配置していることに基づく還元水生成容器。